(57)【要約】【課題】外部からの衝撃力に対する耐力を向上するとともに、空気吸込み時の沈み込みを確実に防止できる空気調和機を提供することを目的とする。【解決手段】前面パネル４の前面開口部５の前方に吸込みパネル６が設けられ、その下方部に吸込み口１３が開口されている空気調和機１において、吸込みパネル６内面の下方部位に設けられた沈み込み防止爪２５と、該沈み込み防止爪２５と対応して前面パネル４側に設けられ、沈み込み防止爪２５を受入する受入部２７とを備え、受入部２７は、沈み込み防止爪２５が受入可能な箱型形状とされ、沈み込み防止爪２５側には、箱型受入部２７に受入される爪先端２５Ｃよりも根元側に箱型受入部２７の周縁２７Ａに当接するリブ面２５Ｄが設けられている。【選択図】図４
2010112628.tif 000002
【特許請求の範囲】
【請求項１】
筐体を構成している前面パネルの上面に吸込みグリルが設けられるとともに、前記前面パネルの前面開口部の前方に吸込みパネルが設けられ、その下方部に吸込み口が開口されている空気調和機において、
前記吸込みパネル内面の下方部位に設けられた沈み込み防止爪と、該沈み込み防止爪と対応して前記前面パネル側に設けられ、前記沈み込み防止爪を受入する受入部とを備え、前記受入部は、前記沈み込み防止爪が受入可能な箱型形状とされ、前記沈み込み防止爪側には、前記箱型受入部に受入される爪先端よりも根元側に前記箱型受入部の周縁に当接するリブ面が設けられていることを特徴とする空気調和機。
【請求項２】
前記箱型受入部は、前記前面パネルの前面開口部に設けられている縦桟に一体に設けられていることを特徴とする請求項１に記載の空気調和機。
【請求項３】
前記箱型受入部の周縁には、前記沈み込み防止爪のリブ面が当接される縁が、前記吸込みパネル側に突出するように設けられていることを特徴とする請求項１または２に記載の空気調和機。
【請求項４】
前記沈み込み防止爪は、爪部の上面側に前記リブ面が設けられ、下面側が前記箱型受入部への受入ガイド面とされていることを特徴とする請求項１ないし３のいずれかに記載の空気調和機。
【発明の詳細な説明】
【技術分野】
【０００１】
本発明は、前面パネルの前面開口部の前方に吸込みパネルが設けられ、その下部に吸込み口が開口されている空気調和機に関するものである。
【背景技術】
【０００２】
従来から、前面パネルの前面開口部の前方に、該前面開口部を覆うように開閉可能な吸込みパネルを設け、室内空気を前面パネルの上面に設けられている吸込みグリルと吸込みパネルの下方部に開口されている吸込み口とから筐体内に吸い込むようにした空気調和機が提供されている。このような構成の空気調和機においては、横長長方形状とされている吸込みグリルの主に中央部分の下縁部が吸込み空気流によって内側に引き込まれ、内側に撓んで沈み込むという現象が生ずる。
【０００３】
そこで、上方部を支点に開閉可能とされている吸込みパネル０１の幅方向位置に、図５に示されるように、吸込みパネル０１の沈み込み防止機構を設けていた。この沈み込み防止機構は、吸込みパネル０１の内面の下方部位に設けられた沈み込み防止爪０２の先端部０３を、沈み込み防止爪０２に対応して前面パネル０４側の縦桟０５に設けられた嵌入部０６に嵌入する構成とされ、これによって、吸込みパネル０１の下縁部の沈み込みを防止し、吸込み口０７から吸入される空気量の低下を抑制していた。
【０００４】
特許文献１には、吸込みグリルの下方部内面に係合ピンを設けるとともに、前面パネル側の対応位置に係止部を設け、上方部を支点に開閉可能とされている吸込みグリルを前面パネルに対して固定できるようにした構成した、上記沈み込み防止機構に類似する構成の吸込みグリル係止機構が開示されている。
【０００５】
【特許文献１】特許第３８５４３９６号公報
【発明の開示】
【発明が解決しようとする課題】
【０００６】
しかしながら、上記の沈み込み防止機構では、嵌入部０６の強度が比較的弱く、特に運搬時等において、外部から吸込みパネル０１に大きな衝撃力が加わるような取扱いがされた場合に、嵌入部０６が衝撃によって折れることがある等、外部からの衝撃力に対して弱いという問題があった。これは、沈み込み防止爪０２の先端部０３を嵌入し易くするために、嵌入部０６に薄肉部を形成し、嵌入部０６を変形し易くしていたことが原因と考えられる。
【０００７】
本発明は、このような事情に鑑みてなされたものであって、外部からの衝撃力に対する耐力を向上するとともに、空気吸込み時の沈み込みを確実に防止できる空気調和機を提供することを目的とする。
【課題を解決するための手段】
【０００８】
上記課題を解決するために、本発明の空気調和機は、以下の手段を採用する。
すなわち、本発明にかかる空気調和機は、筐体を構成している前面パネルの上面に吸込みグリルが設けられるとともに、前記前面パネルの前面開口部の前方に吸込みパネルが設けられ、その下方部に吸込み口が開口されている空気調和機において、前記吸込みパネル内面の下方部位に設けられた沈み込み防止爪と、該沈み込み防止爪と対応して前記前面パネル側に設けられ、前記沈み込み防止爪を受入する受入部とを備え、前記受入部は、前記沈み込み防止爪が受入可能な箱型形状とされ、前記沈み込み防止爪側には、前記箱型受入部に受入される爪先端よりも根元側に前記箱型受入部の周縁に当接するリブ面が設けられていることを特徴とする。
【０００９】
本発明によれば、吸込みパネル側に設けられている沈み込み防止爪が受入される前面パネル側の受入部を、沈み込み防止爪が受入可能とされた箱型形状とし、該箱型受入部の周縁に対して、沈み込み防止爪の爪先端よりも根元側に設けられているリブ面を当接させ、吸込みパネルの沈み込みを防止する構成としているため、沈み込み防止爪を箱型受入部に受入しそのリブ面を箱型キャッチ部の周縁に当接させることにより、吸込みパネルの下縁部が吸込み空気流によって引き込まれ、内側に撓んで沈み込むのを確実に防止することができる。従って、吸込み口からの吸込み空気量の低下を抑制し、所期の能力を確保することができる。また、受入部を箱型形状とし、その周縁に沈み込み防止爪のリブ面を当接させて吸込みパネルの沈み込みを防止するようにしているため、受入部に薄肉部等を形成する必要がなく、受入部を剛構造として強度アップすることができ、従って、外部からの衝撃力に対する耐力を向上し、運搬時における破損等を確実に防止することができる。
【００１０】
また、本発明の空気調和機は、上記の空気調和機において、前記箱型受入部は、前記前面パネルの前面開口部に設けられている縦桟に一体に設けられていることを特徴とする。
【００１１】
本発明によれば、箱型受入部が、前面パネルの前面開口部に設けられている縦桟に一体に設けられているため、箱型受入部が下方部の吸込み口から吸い込まれる空気の吸入抵抗となることがなく、従って、受入部を箱型形状とすることによる空調性能への影響を皆無とすることができる。しかも、縦桟は、前面パネルの強度メンバーであるため、沈み込み防止爪が受入される箱型受入部を設置する部材として必要強度を確保することができる。
【００１２】
さらに、本発明の空気調和機は、上述のいずれかの空気調和機において、前記箱型受入部の周縁には、前記沈み込み防止爪のリブ面が当接される縁が、前記吸込みパネル側に突出するように設けられていることを特徴とする。
【００１３】
本発明によれば、箱型受入部の周縁に沈み込み防止爪のリブ面が当接される縁が、吸込みパネル側に突出するように設けられているため、沈み込み防止爪のリブ面と箱型受入部の周縁との当接を、周縁に突出されている縁を介して確実に確保することができる。従って、吸込みパネルの沈み込みをより確実に防止することができるとともに、縁によるリブ効果によって箱型受入部の強度を一段と向上することができる。
【００１４】
さらに、本発明の空気調和機は、上述のいずれかの空気調和機において、前記沈み込み防止爪は、爪部の上面側に前記リブ面が設けられ、下面側が前記箱型受入部への受入ガイド面とされていることを特徴とする。
【００１５】
本発明によれば、沈み込み防止爪の爪部の上面側にリブ面が設けられ、下面側が箱型受入部への受入ガイド面とされているため、上方部を支点にして吸込みパネルを開閉する際にも、沈み込み防止爪を下面側の受入ガイド面を介して箱型受入部内にスムーズに受入することができる。従って、吸込みパネルの開閉操作を容易に行うことができる。
【発明の効果】
【００１６】
本発明によると、沈み込み防止爪を箱型受入部に受入しそのリブ面を箱型受入部の周縁に当接させることにより、吸込みパネルの下縁部が吸込み空気流によって引き込まれ、内側に撓んで沈み込むのを確実に防止することができ、従って、吸込み口からの吸込み空気量の低下を抑制し、所期の能力を確保することができる。また、受入部を箱型形状とし、その周縁に沈み込み防止爪のリブ面を当接させて吸込みパネルの沈み込みを防止するようにしているため、受入部に薄肉部等を形成する必要がなく、受入部を剛構造として強度アップすることができ、従って、外部からの衝撃力に対する耐力を向上し、運搬時における破損等を確実に防止することができる。
【発明を実施するための最良の形態】
【００１７】
以下に、本発明にかかる実施形態について、図面を参照して説明する。
以下、本発明の一実施形態について、図１ないし図４を用いて説明する。
図１には、本発明の一実施形態に係る壁掛け形空気調和機の外観斜視図が示され、図２には、その縦断面図が示されている。
空気調和機１は、横長の直方体形状の筐体２を備えている。この筐体２は、筐体２の背面側を構成するベース３と、ベース３の前面側に被せられている前面パネル４と、前面パネル４の前面開口部５を覆っている吸込みパネル６と、前面パネル４の前面と下面間に配設されている吹出しグリル７等によって構成されている。
【００１８】
ベース３には、後述の室内熱交換器１７を構成する背面側熱交換器１７Ｄから流下するドレンを受ける背面側ドレンパン８と、後述するクロスフローファン（送風ファン）１８から吹出される空気の流路を形成する空気流路壁９と、冷媒配管類１０を収容する配管収容部１１等が一体に成形されている。前面パネル４には、上面に吸込みグリル１２が形成されているとともに、前面の開口部５の前方に吸込みパネル６が上方部を支点に上方に開閉可能に設置され、その下方部に吸込み口１３が開口されている。また、前面パネル４の前面と下面間に配設されている吹出しグリル７には、吹出し口１４が開口されている。
【００１９】
筐体２の内部には、吸込み口１３を含む前面パネル４の前面開口部５および吸込みグリル１２に沿って、エアフィルタ１５および空気浄化フィルタ１６が配設されており、その下流側に室内熱交換器１７が配設されている。室内熱交換器１７は、図２に示されているように、複数の熱交換器１７Ａないし１７Ｄに分割されており、筐体２内の前面下部から上面および背面側にかけて概略Λ形状に折り曲げられて配設されている。
【００２０】
室内熱交換器１７の下流側の空間内には、細長い筒形形状とされたクロスフローファン（送風ファン）１８が水平軸周りに回転自在に配設され、筐体２内の右側部にベース３を介して配設されている図示省略のファンモータにより駆動されるように構成されている。このクロスフローファン１８の下流側前方には、吹出しグリル７と一体成形されたスタビライザ１９が配設されており、該スタビライザ１８とベース３に成形されている空気流路壁９とによって、吹出し口１４に至る吹出し流路２０が形成されている。
【００２１】
吹出しグリル７には、室内熱交換器１７を構成している熱交換器１７Ａないし１７Ｃから流下するドレンを受ける前面側ドレンパン２１が、スタビライザ１９と共に一体に成形されている。また、吹出しグリル７には、吹出し口１４から吹出される温調風の風向を左右方向に調整する複数枚の縦ルーバ（ルーバ）２２が回動可能に配設されるとともに、温調風の風向を上下方向に調整する上下２枚の水平フラップ（フラップ）２３が回動可能に配設されている。
【００２２】
吸込みパネル６は、前面パネル４の前面側に上方部を支点として上方に向け回動されるように開閉可能に取り付けられており、その左右両側の下方部に設けられている係止部によって、下方部が前面パネル４に対して係止されるようになっている。さらに、吸込みパネル６は、横長長方形状であり、下方部に吸込み口１３が設けられていることから、下縁部が吸込み空気流によって内側に引き込まれ、撓み易い構成とされている。
【００２３】
そこで、本実施形態では、吸込みパネル６の幅方向長さの中央部付近の少なくとも１箇所に、吸込みパネル６の撓みによる沈み込みを防止するために、沈み込み防止機構２４を設けている。この沈み込み防止機構２４の構成が、図３および図４に示されている。図３には、沈み込み防止機構２４の位置で切断した状態の斜視図が示され、図４には、沈み込み防止機構が設けられる前面パネルの側の縦桟２６位置での縦断面図が示されている。
【００２４】
沈み込み防止機構２４は、吸込みパネル６の内面側の下方部位に、内方に突出するように設けられた沈み込み防止爪２５と、該沈み込み防止爪２５と対応する位置において前面パネル４の前面開口部５に設けられている縦桟２６に、沈み込み防止爪２５の先端が受入されるように一体に設けられている受入部（箱型受入部）２７とから構成されている。受入部２７は、図３に示されるように、入り口が縦長の長方形状とされた周縁２７Ａを有する箱型形状とされ、内側の上面が奥側に向って下方に傾斜したテーパ面２７Ｂとされるとともに、下面が上方に向って凸状の湾曲面２７Ｃとされている。また、箱型形状とされた受入部２７の周縁２７Ａには、図４に示されるように、吸込みパネル６側に向って突出するように形成された縁２７Ｄが設けられている。
【００２５】
一方、沈み込み防止爪２５は、先端側に向ってテーパ状に突出された上面２５Ａと下面２５Ｂとを有しており、その上面２５Ａ側には、箱型受入部２７の上面側のテーパ面２７Ｂに対して隙間を存して受入される爪先端２５Ｃよりも根元側に、箱型受入部２７の周縁２７Ａに形成されている縁２７Ｄに当接する鉛直方向のリブ面２５Ｄが設けられている。また、下面２５Ｂ側は、沈み込み防止爪２５をスムーズに箱型受入部２７内に受入するための受入ガイド面２５Ｅとされている。
【００２６】
以上に説明の構成により、本実施形態によれば、以下の作用効果を奏する。
空気調和機１は、クロスフローファン（送風ファン）１８が回転されることにより、室内の空気を吸込みグリル１２および吸込み口１３を介して筐体２内に吸込んでいる。筐体２内に吸込まれた空気は、エアフィルタ１５および空気浄化フィルタ１６によって浄化された後、室内熱交換器１７に流通され、該室内熱交換器１７を介して冷媒と熱交換されることにより冷却または加熱される。この温調風は、クロスフローファン（送風ファン）１８により付勢され、吹出し流路２０を経て吹出し口１４から室内へと吹出されることによって、室内の空調に供される。
【００２７】
室内に吹出される温調風は、吹出し口１４に設けられている縦ルーバ（ルーバ）２２および水平フラップ（フラップ）２３によって風向が調整され、任意のエリアに向けて吹出されるようになっている。吸込みパネル６は、エアフィルタ１５や空気浄化フィルタ１６等を取り外すとき、図３に示されるように、上方に回動されて開放されるが、通常の空調運転時は、沈み込み防止機構２４の沈み込み防止爪２５が、図４に示されるように、箱型キャッチ部２７に嵌入された状態とされているため、吸込みパネル６は、図１、図２に示されるように、閉じられている。
【００２８】
この状態で空気調和機１の運転が開始されると、室内の空気は吸込みグリル１２および吸込み口１３等を通して筐体２内に吸い込まれることになる。しかるに、吸込みパネル６の下縁部は、沈み込み防止機構２４によって内側から支持されているため、吸込みパネル６の下縁部が吸込み空気流によって内側に引き込まれて撓むようなことはなく、吸込み口１３の開口面積を設計通り確保することができる。
【００２９】
つまり、吸込みパネル６が閉じられた状態では、図４に示されるように、沈み込み防止爪２５の爪先端２５Ｅが、箱型受入部２７の内部に受入ガイド面２５Ｅを介して湾曲面２７Ｃに摺接するように受入され、リブ面２５Ｄが箱型受入部２７の周縁２７Ａに設けられている縁２７Ｄに当接した状態とされているため、吸込みパネル６の下縁部に対する内側への引き込みが、沈み込み防止機構２４によって阻止され、吸込みパネル６の下縁部の沈み込みを確実に防止することができる。従って、吸込み口１３からの吸込み空気量の低下を抑制し、所期の能力を確保することができる。
【００３０】
また、受入部２７を箱型形状とし、その周縁２７Ａに沈み込み防止爪２５のリブ面２５Ｄを当接させて吸込みパネル６の沈み込みを防止するようにしているため、箱型受入部２７側に薄肉部等を形成して変形しやすくする必要がなく、箱型受入部２７を剛構造として強度アップすることができる。これによって、外部からの衝撃力に対しての耐力を向上することができ、運搬時における破損等を確実に防止することが可能となる。
【００３１】
また、箱型受入部２７は、前面パネル４の前面開口部５に設けられている縦桟２６に一体に設けられているため、箱型受入部２７が下方部の吸込み口１３から吸い込まれる空気の吸入抵抗となることがなく、従って、受入部２７を箱型形状とすることによる空調性能への影響を皆無とすることができる。しかも、縦桟２６は、筐体２を構成している前面パネル４の強度メンバーであるため、沈み込み防止爪２５が受入される箱型受入部２７を設置する部材として必要強度を確保することができる。
【００３２】
さらに、本実施形態では、箱型受入部２７の周縁２７Ａに、沈み込み防止爪２５のリブ面２５Ｄが当接される縁２７Ｄが、吸込みパネル６側に突出するように設けられているため、沈み込み防止爪２５のリブ面２５Ｄと箱型受入部２７の周縁２７Ａとの当接を、周縁２７Ａに突出されている縁２７Ｄを介して確実に確保することができる。従って、吸込みパネル６の沈み込みをより確実に防止することができるとともに、縁２７Ｄによるリブ効果によって箱型受入部２７の強度を一段と向上することができる。
【００３３】
また、沈み込み防止爪２５の爪部の上面２５Ａ側にリブ面２５Ｄが設けられ、下面２５Ｂ側が箱型受入部２７への受入ガイド面２５Ｅとされているため、上方部を支点にして吸込みパネル６を開閉する際にも、沈み込み防止爪２５を下面２５Ｂ側の受入ガイド面２５Ｅを介して箱型受入部２７内にスムーズに嵌入することができる。従って、吸込みパネル６の開閉操作を容易に行うことができる。
【００３４】
なお、本発明は、上記実施形態にかかる発明に限定されるものではなく、その要旨を逸脱しない範囲において、適宜変形が可能である。例えば、上記実施形態では、吸込みパネル６の沈み込み防止機構２４を吸込みパネル６の幅方向長さの中央部付近の１箇所に設けた例について説明したが、吸込みパネル６の幅方向に沿って複数箇所に設けてもよいことはもちろんである。また、上記実施形態では、沈み込み防止機構２４の箱型受入部２７を前面パネル４の縦桟２６に一体に設けた例について説明したが、箱型受入部２７を他の部位に設けてもよい。
【図面の簡単な説明】
【００３５】
【図１】本発明の一実施形態に係る空気調和機の外観斜視図である。
【図２】図１に示す空気調和機の縦断面図である。
【図３】図１に示す空気調和機を吸込みパネルの沈み込み防止機構位置で切断した状態の斜視図である。
【図４】図３に示す沈み込み防止機構が設けられる前面パネル側の縦桟位置での縦断面図である。
【図５】従来の吸込みパネルの沈み込み防止機構の縦断面図である。
【符号の説明】
【００３６】
１  空気調和機
２  筐体
４  前面パネル
５  前面開口部
６  吸込みパネル
１２  吸込みグリル
１３  吸込み口
２４  沈み込み防止機構
２５  沈み込み防止爪
２５Ａ  上面
２５Ｂ  下面
２５Ｃ  爪先端
２５Ｄ  リブ面
２５Ｅ  受入ガイド面
２６  縦桟
２７  受入部（箱型受入部）
２７Ａ  周縁
２７Ｄ  縁
【図１】
2010112628.tif 000003
【図２】
2010112628.tif 000004
【図３】
2010112628.tif 000005
【図４】
2010112628.tif 000006
【図５】
2010112628.tif 000007